(57)【特許請求の範囲】
【請求項１】
キャップ本体（２）の閉塞壁上面にキャップ本体（２）内部と外部とを連通させる通気孔（３）を開口させ、前記キャップ本体（２）内に軸方向可動の内キャップ（５）を設け、筆記具本体（６）のペン先側に装着した際、前記内キャップ（５）に設けたシール部（５１ａ）により前記通気孔（３）を塞いでなる筆記具のキャップ（１）であって、前記キャップ本体（２）の閉塞壁上面に、軸方向上方に開口し且つ径方向外方に開口する連通溝（４）を設け、前記連通溝（４）により、前記通気孔（３）の内面と前記キャップ本体（２）の径方向外面とを連通させ、
前記連通溝（４）が、キャップ本体（２）のクリップ取付孔（２１ａ）を径方向に貫通すると共に、前記連通溝（４）が、前記クリップ取付孔（２１ａ）に挿着されるクリップ（７）の挿入脚部（７１）に設けた貫通孔（７１ａ）と連通してなり、
前記連通溝（４）がクリップ取付孔（２１ａ）上方のキャップ本体（２）外周面より径方向外方に開口されることにより、通気孔（３）とキャップ本体（２）外周面とを連通する第１の空気通路（８）が形成され、
前記連通溝（４）とクリップ（７）の挿入脚部（７１）の貫通孔（７１ａ）との連通により、通気孔（３）とキャップ本体（２）外周面とを連通する第２の空気通路（９）が形成されることを特徴とする筆記具のキャップ。
【請求項２】
前記キャップ本体（２）内面に、筆記具本体（６）のペン先側外面と気密嵌合する環状突起（２４）を設けた請求項１記載の筆記具のキャップ。
【発明の詳細な説明】
【０００１】
【発明の属する技術分野】
本発明は、筆記具のキャップに関する。詳細には、キャップ本体の閉塞壁に通気孔を設けると共にキャップ本体内に軸方向可動の内キャップを設け、筆記具本体に装着した際、前記内キャップにより前記通気孔を塞いでなる筆記具のキャップに関する。尚、本発明で「上」とはキャップの閉塞側を指し、「下」とはキャップの開口側を指す。
【０００２】
【従来の技術】
従来、筆記具のキャップにおいて、筆記具本体との着脱の繰り返しによってキャップ内を加圧及び減圧させ、筆記具本体の空気孔からインキを漏出させることがあり、これを防止する目的で多くの提案がなされている。例えば、実開平７−２７８８５号公報には、外キャップ（本発明のキャップ本体）の頭部（本発明の閉塞壁）に連通孔（本発明の通気孔）を穿設すると共に外キャップ内部に軸方向可動の内キャップを設け、筆記具本体に被着した際、前記内キャップに設けた弾性パッキングリング（本発明のシール部）より前記連通孔を塞いでなる構造の筆記具のキャップが開示されている。
【０００３】
しかし、前記従来のキャップは、筆記具本体のペン先側に装着される過程で、キャップ閉塞壁の通気孔が内キャップにより適正に塞がれる前に、指や手のひら等で通気孔が外側より塞がれる場合がある。その場合、キャップ内の空気が加圧され、キャップを装着する度に、筆記具本体の空気孔から筆記具本体内部に空気を入れてしまい、結果的に、筆記具本体のペン先側（即ちペン先または空気孔）からインキを漏出させるおそれがある。従って、前記従来のキャップは、キャップ装着時のキャップ内の空気加圧の回避が不十分であった。
【０００４】
【発明が解決しようとする課題】
本発明は前記従来の問題点を解決するものであって、キャップ装着時にキャップ内の空気加圧を十分に回避できる筆記具のキャップを提供しようとするものである。
【０００５】
【課題を解決するための手段】
〔１〕本発明は、キャップ本体２の閉塞壁上面にキャップ本体２内部と外部とを連通させる通気孔３を開口させ、前記キャップ本体２内に軸方向可動の内キャップ５を設け、筆記具本体６のペン先側に装着した際、前記内キャップ５に設けたシール部５１ａにより前記通気孔３を塞いでなる筆記具のキャップ１であって、前記キャップ本体２の閉塞壁上面に、軸方向上方に開口し且つ径方向外方に開口する連通溝４を設け、前記連通溝４により、前記通気孔３の内面と前記キャップ本体２の径方向外面とを連通させ、前記連通溝４が、キャップ本体２のクリップ取付孔２１ａを径方向に貫通すると共に、前記連通溝４が、前記クリップ取付孔２１ａに挿着されるクリップ７の挿入脚部７１に設けた貫通孔７１ａと連通してなり、前記連通溝４がクリップ取付孔２１ａ上方のキャップ本体２外周面より径方向外方に開口されることにより、通気孔３とキャップ本体２外周面とを連通する第１の空気通路８が形成され、前記連通溝４とクリップ７の挿入脚部７１の貫通孔７１ａとの連通により、通気孔３とキャップ本体２外周面とを連通する第２の空気通路９が形成されること（請求項１）を要件とする。
【０００６】
（作用）
前記連通溝４により、通気孔３の内面とキャップ本体２の径方向外面とが連通しているため、キャップ装着時、前記通気孔３を外側より指や手のひら等で覆ったとしても、前記通気孔３が塞がれることがなく、キャップ１内の空気加圧を回避することができる。
通気孔３とキャップ本体２の径方向外面とが、連通溝４の単独による第１の空気通路８に加え、連通溝４とクリップ７の挿入脚部７１の貫通孔７１ａとの連通による第２の空気通路９によって、キャップ装着時の指や手のひら等による通気孔３を塞ぐことを、より一層、確実に回避できる。
【０００７】
〔２〕前記請求項１の筆記具のキャップ１において、前記キャップ本体２内周面に、筆記具本体６のペン先側外周面と気密嵌合する環状突起２４を設けたこと（請求項２）が好ましい。
【０００８】
（作用）
キャップ本体２の内周面に環状突起２４を備えるタイプの筆記具のキャップは、筆記具本体６の外周面と確実な気密嵌合が得られる点で有利である。その上、もし、キャップ装着過程で、環状突起２４と筆記具本体６のペン先６１側外周面とが軸方向に密接摺動することによって、キャップ１内が加圧されることがあっても、前記請求項１の連通溝４によって、有効にキャップ装着時の空気加圧が回避される。
【０００９】
【００１０】
【００１１】
【発明の実施の形態】
本発明の実施の形態について図面に従って説明する。
【００１２】
図１〜図６に本発明キャップの一実施例を示す。キャップ１は、主に、キャップ本体２と、該キャップ本体２内に軸方向可動に収容される内キャップ５と、前記キャップ本体２外面に取り付けられるクリップ７とからなる。
【００１３】
（キャップ本体）
前記キャップ本体２は、上端の閉塞壁と円筒状の側壁とが一体に連設され、且つ下端が開口された有底円筒体よりなり、合成樹脂（例えばポリプロピレン樹脂）の射出成形によって得られる。
【００１４】
（通気孔）
前記キャップ本体２の閉塞壁の中央には通気孔３が軸方向に貫設される。前記通気孔３の内周面には、上側に開口する環状段部３１が形成される。それにより、前記環状段部３１に射出成形時のゲートＧを設ける場合、前記環状段部３１にゲート残り（いわゆるバリ）が発生したとしても、閉塞壁の上端面よりも上方にゲート残りが突出することを防ぐ。その結果、キャップ装着の際、指や手のひら等が、前記ゲート残りに接触することを回避する。尚、本実施例では、前記環状段部３１の内周縁部に環状のゲートＧを設けている。
【００１５】
（連通溝）
前記キャップ本体２の閉塞壁上面には、前記通気孔３（環状段部３１）内周面とキャップ本体２の径方向外面とを連通する切り欠き状の連通溝４が一本形成される。前記連通溝４は、キャップ本体２外周面より径方向外方に開口すると共に、閉塞壁上面より軸方向の上方に開口している。この他にも、前記連通溝４は、複数本であってもよく、例えば、通気孔３を中心にした放射状に延びる構成が挙げられる。
【００１６】
また、キャップ本体２の上端より僅かに下方の側壁外周面には、取付凸部２１が設けられ、そこに軸方向上方に開口するクリップ取付孔２１ａが設けられる。前記クリップ取付孔２１ａを含む取付凸部２１を前記連通溝４が径方向に貫通している。尚、前記取付凸部２１は、軸方向下方に開口してもよい。
【００１７】
（クリップ）
前記クリップ７は、ステンレス鋼等の金属製板片よりなり、上端の挿入脚部７１及び下端の玉部７２が、折り曲げ加工により一体に形成される。前記挿入脚部７１には、径方向に貫通孔７１ａが設けられると共に、前記クリップ取付孔２１ａに圧入される。前記クリップ取付孔２１ａには、前記キャップ本体２の側壁外周面より径方向外方に開口する前記連通溝４が、径方向に貫通しているため、このとき、前記貫通孔７１ａと前記連通溝４が連通している。尚、前記貫通孔７１ａは、挿入脚部７１の外側へ開口する切り欠き形状であってもよい。
【００１８】
また、キャップ本体２の中間部（挿入脚部７１と玉部７２との間）の側壁外面には、軸方向の縦リブ２２が一体に形成され、それにより、前記クリップ７の内面が圧接支持される。
【００１９】
（空気通路）
前記連通溝４は、クリップ取付孔２１ａ上方（取付凸部２１上方）のキャップ本体２外周面より径方向外方に開口し、それにより、通気孔３とキャップ本体２外周面とを連通する第１の空気通路８が形成される。
【００２０】
また、前記連通溝４は、クリップ取付孔２１ａを径方向に貫通してキャップ本体２外周面（すなわち取付凸部２１外面）より径方向外方に開口し、その上、クリップ７の挿入脚部７１の貫通孔７１ａと連通している。それにより、通気孔３とキャップ本体２外周面（すなわち取付凸部２１外面）と連通する第２の空気通路９が形成される。
【００２１】
（突起等）
前記キャップ本体２内周面には、内キャップ５の下端と当接して該内キャップ５の脱落を防止する抜け止め突起２３（複数の分散状突起）が一体に形成される。また、前記キャップ本体２内周面には、筆記具本体６の外周面（環状平滑面６３ａ）と気密嵌合する環状突起２４と、筆記具本体６の環状突起６３ｂと乗り越え嵌合する係合突起２５（複数の分散状突起よりなる）が一体に形成される。さらに、キャップ本体２の閉塞壁内面及び側壁内面には、複数（ここでは３本）の軸方向のバネ受け用リブ２６が一体に突設されている。
【００２２】
（内キャップ）
内キャップ５は、下端が開口した筒体である。前記内キャップ５の側壁には、キャップ本体２内に収容のバネ２７を受ける鍔部５２と、内キャップ５の内部と外部を連通させる複数（ここでは４個）の窓孔５３とが形成される。また、前記内キャップ５の上端には弾性シール体５１（シール部５１ａ）が取り付けられる。前記内キャップ５は前記バネ２７（ここでは圧縮コイルスプリング）により下方に付勢されている。
【００２３】
（弾性シール体）
前記弾性シール体５１は、合成ゴムの成形部材であり、上端が開口され下端が閉塞された有底筒体である。そして、前記弾性シール体５１は、上端に、キャップ本体２の閉塞壁内面と密接して通気孔３を塞ぐ環状のシール部５１ａが一体に形成され、下端に、ペン先６１と接触してペン先６１を密封するペン先シール部５１ｂが一体に形成される。
【００２４】
（筆記具本体）
筆記具本体６は、ペン先６１（ここではボールペンペン先）と、該ペン先６１を先端に保持するインキ保留部材６２と、該インキ保留部材６２を上部に備え且つ該インキ保留部材６２の下方にインキタンクを形成する軸筒６３とからなる直液式ボールペンである。
【００２５】
前記インキ保留部材６２は、インキタンク内の圧力上昇に応じた溢出インキを一時的に保持する公知の部材であり、外周面に複数の円板状櫛歯が設けられている。前記インキ保留部材６２には、軸筒６３内のインキタンクと連通する空気孔６２ａが設けられる。前記空気孔６２ａはインキ保留部材６２下方のインキタンク内と連通している。また、前記軸筒６３外周面には、気密嵌合用の環状平滑面６３ａと、乗り越え嵌合用の環状突起６３ｂが一体に形成される。
【００２６】
（作用）
キャップ１を筆記具本体６のペン先６１側に装着する以前の状態（図２）において、内キャップ５がバネ２７により下方に付勢され、該内キャップ５の下端がキャップ本体２内周面の抜け止め突起２３に当接している。このとき、通気孔３外周の閉塞壁内面と弾性シール体５１とは非接触状態にあり、通気孔３は塞がれていない。それにより、キャップ本体２内部のペン先６１が収容される空間は、内キャップ５の窓孔５３及びキャップ本体２の通気孔３を介して、外部と連通している。
【００２７】
次に、キャップ１を筆記具本体６のペン先６１側に装着していくと、まず、筆記具本体６のペン先６１が、弾性シール体５１のペン先シール部５１ｂに当接して密封されると共に、筆記具本体６外面のペン先６１下方に位置する肩部６４が、内キャップ５内面の段部５４に当接し、キャップの装着過程に従って、内キャップ５が上方へ移動される。
【００２８】
その後、図１に示すように、弾性シール体５１の上端の環状シール部５１ａが閉塞壁内面に密接し、通気孔３が内側より塞がれると同時に、キャップ本体２内周面の環状突起２４が筆記具本体６の環状平滑面６３ａと気密嵌合し、且つ、キャップ本体２内面の係合突起２５が筆記具本体６の環状突起６３ｂと乗り越え嵌合する。それにより、キャップ１内は、外部と通気が遮断される。
【００２９】
【発明の効果】
請求項１の構成により、キャップ装着時、指や手のひら等で通気孔を塞ぐことがなく、キャップ内の空気加圧を十分に回避できる。請求項１の構成により、通気孔とキャップ本体外周面とが、連通溝単独による第１の空気通路に加え、連通溝とクリップ挿入脚部の貫通孔との連通による第２の空気通路によって、キャップ装着時の指や手のひら等による通気孔を塞ぐことを、より一層、確実に回避できる。
【００３０】
請求項２の構成により、筆記具本体の外周面と確実な気密嵌合が得られると共に、キャップ装着過程で、環状突起と筆記具本体のペン先側外周面とが軸方向に僅かに密接摺動してキャップ内を加圧することがあっても、前記請求項１の連通溝によって、キャップ装着時の空気加圧が有効に回避される。
【００３１】
【図面の簡単な説明】
【図１】本発明のキャップを筆記具本体に装着した状態を示す縦断面図である。（２点鎖線は指を示す）
【図２】図１のキャップ装着前を示す縦断面図である。
【図３】図２のＡ−Ｂ−Ｃ−Ｄ線組合せ断面図である。
【図４】図１及び図２のキャップ本体上部の縦断面図である。
【図５】図２のキャップ本体上部のＥ−Ｅ線断面図である。
【図６】挿入脚部を示すクリップの内面図である。
【符号の説明】
１ キャップ
２ キャップ本体
２１ 取付凸部
２１ａ クリップ取付孔
２２ 縦リブ
２３ 抜け止め突起
２４ 環状突起
２５ 係合突起
２６ バネ受け用リブ
２７ バネ
３ 通気孔
３１ 環状段部
４ 連通溝
５ 内キャップ
５１ 弾性シール体
５１ａ シール部
５１ｂ ペン先シール部
５２ 鍔部
５３ 窓孔
５４ 段部
６ 筆記具本体
６１ ペン先
６２ インキ保留部材
６２ａ 空気孔
６３ 軸筒
６３ａ 環状平滑面
６３ｂ 環状突起
６４ 肩部
７ クリップ
７１ 挿入脚部
７１ａ 貫通孔
７２ 玉部
８ 第１の空気通路
９ 第２の空気通路
【図１】
0004393629.tif 000002
【図２】
0004393629.tif 000003
【図３】
0004393629.tif 000004
【図４】
0004393629.tif 000005
【図５】
0004393629.tif 000006
【図６】
0004393629.tif 000007